(57)【要約】【課題】ハウス内を効率よく換気でき、ハウス内の温度を低く維持することができる作物栽培方法、作物栽培ハウスの換気法および作物栽培ハウスの換気法を提供する。【解決手段】内部で作物を栽培する作物栽培ハウスの棟に、自由に曲げる事が可能な透光材料を固定し、該ハウスの軒の端に該自由に曲げる事が可能な透光材料の端部を固定し、外気を流入させたい時は、該軒の端部を上方向に上昇させることを特徴とする。風が吹くと極短時間でハウス内の空気が全て入れ換えることができる。風がそよそよと吹き続ける時は、絶えずハウス内の空気が外気と入れ換わり続ける。その為に一般のビニールハウスに較べて、ハウス内の温度が低く維持することができる。【選択図】図１
2014113085.tif 000002
【特許請求の範囲】
【請求項１】
内部で作物を栽培する作物栽培ハウスの棟に、自由に曲げる事が可能な透光材料を固定し、該ハウスの軒の端に該自由に曲げる事が可能な透光材料の端部を固定し、外気を流入させたい時は、該軒の端部を上方向に上昇させる
ことを特徴とする作物栽培方法。
【請求項２】
透光材料を固定した屋根部を備えた作物栽培用ハウスであって、
作物栽培用ハウスは、
その棟を中心として、透光材料を固定した屋根部が回転し、開く構造を有しており、
外気を流入させる際に、該ハウスの屋根部の棟を中心して、屋根部を回転させる
ことを特徴とする作物栽培用ハウス。
【請求項３】
単数または複数の請求項１または２記載の作物栽培用ハウスを取り囲み、該作物栽培用ハウスよりも高く立設して配置した防風塀と、該防風塀の上方部において上端から所定の縦幅で形成した通風部であって、分散配置された多数の貫通孔で構成する通風部と、全面または部分的に多数の貫通孔を形成し、前記作物栽培用ハウスの上方において横置きした際に強風が通過する複数枚の邪魔板とを備えたハウス防風機構が設けられており、
該ハウス防風機構の柱に滑車を設置し、該滑車を利用して屋根を開口する
ことを特徴とする作物栽培ハウスの換気法。
【発明の詳細な説明】
【技術分野】
【０００１】
本発明は、作物栽培方法、作物栽培用ハウスおよび作物栽培ハウスの換気法に関する。
【背景技術】
【０００２】
農業用ビニールハウスにおいて、1年を通じて出来るだけ長期間栽培が出来る様に、横窓、天窓そして送風機や換気扇を用いている。
換気扇や送風機は電動機によって強制的にハウス内空気を移動や排出、そして流入させている。
また、天窓と横窓は、風が吹けばハウス内へ外気を流入させる働きがある。
【０００３】
しかし主たる作用は、外気を積極的に取り入れる事を目的としているのではなくて、ハウス内の空気の対流を利用して外気を横窓から取り入れて天窓から排出しているのである。
【０００４】
しかるに、以上に述べた従来のビニールハウスの横窓と天窓だけであれば、例え風が吹いたとしてもハウス内への外気の流入が少なくて、絶えずハウス内の温度は外気よりも高くなってしまう。
【発明の概要】
【発明が解決しようとする課題】
【０００５】
上記事情に鑑み、ハウス内を効率よく換気でき、ハウス内の温度を低く維持することができる作物栽培方法、作物栽培ハウスの換気法および作物栽培ハウスの換気法を提供する
【課題を解決するための手段】
【０００６】
第１発明の作物栽培方法は、内部で作物を栽培する作物栽培ハウスの棟に、自由に曲げる事が可能な透光材料を固定し、該ハウスの軒の端に該自由に曲げる事が可能な透光材料の端部を固定し、外気を流入させたい時は、該軒の端部を上方向に上昇させることを特徴とする。
第２発明の作物栽培用ハウスは、透光材料を固定した屋根部を備えた作物栽培用ハウスであって、作物栽培用ハウスは、その棟を中心として、透光材料を固定した屋根部が回転し、開く構造を有しており、外気を流入させる際に、該ハウスの屋根部の棟を中心して、屋根部を回転させることを特徴とする。
第３発明の作物栽培ハウスの換気法は、単数または複数の請求項１または２記載の作物栽培用ハウスを取り囲み、該作物栽培用ハウスよりも高く立設して配置した防風塀と、該防風塀の上方部において上端から所定の縦幅で形成した通風部であって、分散配置された多数の貫通孔で構成する通風部と、全面または部分的に多数の貫通孔を形成し、前記作物栽培用ハウスの上方において横置きした際に強風が通過する複数枚の邪魔板とを備えたハウス防風機構が設けられており、該ハウス防風機構の柱に滑車を設置し、該滑車を利用して屋根を開口することを特徴とする。
【発明の効果】
【０００７】
本発明の作物栽培方法や本発明の作物栽培用ハウスを使用すれば、風が吹くと極短時間でハウス内の空気が全て入れ換えることができる。風がそよそよと吹き続ける時は、絶えずハウス内の空気が外気と入れ換わり続ける。その為に一般のビニールハウスに較べて、ハウス内の温度が低く維持することができる。
本発明の作物栽培ハウスの換気法では、高価で重い既製の天窓を使用せずに、安価で軽い本願発明の天窓を使用する事により、防風機構内のハウスを非常に安価なものとすることができる。
【図面の簡単な説明】
【０００８】
【図１】本発明の実施の形態を示すビニールハウスの正面図と側面図
【図２】図１のビニールハウスと屋根の形が異なるビニールハウスの正面図
【図３】防風機構に、本願発明の屋根開口ハウスを建設することを示す正面図
【図４】本発明の実施の形態を示すガラスハウスの正面図
【発明を実施するための形態】
【０００９】
以下、本発明の実施の形態を図に基づいて説明する。
本発明の作物栽培用ハウスは、ビニールハウスの屋根全体が天窓となって開閉する構造を有しており、その為に風が吹くと、開いた屋根が帆掛け船の帆の様に風を捕らえて、ハウスの内へ外気を流入させることができるものである。
【００１０】
本発明の作物栽培用ハウスでは、屋根が図２のＢ´´まで上昇した時は、風は地面とほぼ平行に吹くので、普通のビニールハウスの屋根のＡからＢまでのビニールを剥ぎ取った時と同じ断面ＢＢ´´の風を受け入れる。という事は、図２のハウスの屋根がＢ´´を越えれば越える程、風を受け入れる断面が広くなる。
【００１１】
従って、天窓の一部しか開口しない普通のビニールハウスの天窓に較べれば、天井全体が天窓として開口する屋根が開口するハウスは、普通のビニールハウスとは比較にならないほどの風を受け入れるのである。
【００１２】
その為に風が吹くと極短時間でハウス内の空気が全て入れ換わる。風がそよそよと吹き続ける時は、絶えずハウス内の空気が外気と入れ換わり続ける。その為に一般のビニールハウスに較べて、ハウス内の温度が低く維持されるのである。
【００１３】
例え風が吹かない場合でも、本願発明のハウスの天窓は、普通のハウスの天窓よりも遥かに広い。従って、ハウス内で暖まった空気が対流によりハウス外へ流出しやすい為に、一般のビニールハウスよりも遥かに外気温に近い温度となる。
【００１４】
無論ひとたび風が吹けば、例えそれがそよ風であっても、たちどころにハウス内の空気は全てが外気と入れ換わり、ハウス内は外気温と同じになるのである。
【００１５】
本発明の作物栽培用ハウスは、特願2009-148184、PCT/JP2009/003170のハウス防風機構を設置することにより、より機能を向上させることができる。
防風機構自体は高価であるために、防風機構内のハウスは、出来る限り安価でなければならない。しかし、市販されている既製の天窓は本願発明の天窓よりも高価であるうえに、天窓自体が重いのでハウスの強度を強くせねばならない。従ってハウスの建設費が高価となる為に、ハウス防風機構全体の価格が上昇し、上昇した分だけ販売が難しくなるのである。
そこで、高価で重い既製の天窓を使用せずに、安価で軽い本願発明の天窓を使用する事により、防風機構内のハウスを非常に安価なものとする事が出来る。
【００１６】
つぎに、本発明の作物栽培用ハウスを説明する。
本発明の作物栽培用ハウスでは、ビニールハウスの屋根の棟（ムネ）にビニールを固定する。それからビニールハウスの軒（ノキ）の端にパイプを置き、そのパイプに棟に固定したビニールの端を固定する。外気を流入させたい時は、軒の端のパイプを上方向に上昇させるのである。
この様に、本発明の作物栽培用ハウスでは、ビニールハウスの屋根全体を天窓とするのである。
【００１７】
図１〜３において、ビニールハウスの軒（ノキ）の端に固定したパイプがCとBの位置にある時は、ビニールハウスが密閉されている状態である。パイプCをC,C´´,C´´´と上昇させる。そしてパイプBの場合はB,B´´,B´´´と上昇させることにより、天窓が開口するのである。この時、上昇の度合に比例して開口面積が広くなり、外気の流入が多くなるのである。
【００１８】
図１〜３の天井つまり天窓の構成は、図１〜３の棟（ムネ）のパイプAと、Aに固定したビニールIとそのビニールIの端にパイプB,Cに固定して、そのパイプB,Cをビニールハウスの軒（ノキ）としているのである。
【００１９】
図４の天井つまり天窓の構成は、図４のパイプAとBそしてパイプAとCを梁（ハリ）AB, ACで固定したものである。
【００２０】
従って図４の天窓上昇の軌跡は図１〜３とは異なりパイプAを中心とし、梁ABと梁ACを半径とした円周上を回転する。これはビニールハウスではなくて、ガラスハウスに採用される天窓の方式である。しかしどちらも図１〜４を互いに比較すれば解かる様に天窓の開口面積に大差は見られない。
【００２１】
つぎに、天井を開ける方法について説明する。
図１において、パイプB, パイプCを上下させる吊り具を固定する為の柱F, F’, F’’, F’’’の上端に滑車Gを設置する。そして滑車Gにロープを通してそのロープの端部を、ハウスの屋根の軒の端に取り付けたパイプB, Cに結びつける。
そして、天井を開けたい時は、滑車Gを通した、パイプB, Cに結びつけたロープの反対側の端部を、人が手で引くか又は電動モーター等で巻き取れば良い。
パイプB, Cは径が１９φであればパイプが良く曲がってくれるので一人で楽に上げる事が出来る。例え２４φであっても斜めに傾き、同時に少し曲がるので一人作業が可能である。
【００２２】
特願２００９−１４８１４８、PCT/JP２００９/００３１７０ハウス防風機構に、本願発明の屋根開口ハウスを建設する方法について説明する。
かかるハウス防風機構は、簡単に説明すると、単数または複数の作物栽培用ハウスを取り囲み、作物栽培用ハウスよりも高く立設して配置した防風塀を備えている。そして、この防風塀の上方部において上端から所定の縦幅で形成した通風部であって、分散配置された多数の貫通孔で構成する通風部と、全面または部分的に多数の貫通孔を形成し、前記作物栽培用ハウスの上方において横置きした際に強風が通過する複数枚の邪魔板とを有している。
【００２３】
かかるハウス防風機構では、その明細書の図面を見れば解かる様に等間隔で柱が立てられている。この柱の間に作物栽培ハウスを建てるのであるが、その例を、本明細書に図１〜４に示している。
【００２４】
図３の柱Jは図３のパイプB, Cを上下させる吊り具を固定する為の柱として利用できる。従って、図１および図４のAと同様に、図３のAにビニールを固定し、図１のB, Cと同様に図３のB, Cを、そのビニールの両端部に固定する。そして図１に示す柱（F, F’, F’’, F’’’）として、図３の柱Jを使用する。つまり図３の柱Jの上部に滑車を設置し、ロープを通して図３のパイプB,Cに結ぶ。そしてロープのもう一方の端部を手で引くか、電動モーター等で巻き取れば、天井を開けることができる。
【符号の説明】
【００２５】
A：ハウスの屋根の棟の働きをするパイプ
B：ハウスの屋根の軒の端に取り付けたパイプ
C：ハウスの屋根の軒の端に取り付けたパイプ
D：ハウスの屋根の軒の働きをするパイプ
E：ハウスの屋根の軒の働きをするパイプ
F, F’, F’’, F’’’：パイプB、パイプCを上下させる吊り具を固定する為の柱
G：滑車
H：ハウスの柱としてのパイプ
I ：ビニールハウスのビニール
J：ハウス防風機構の柱
B´,B´´,B´´´,B´´´´：Bが移動した状態を示す
C´,C´´,C´´´,C´´´´：Cが移動した状態を示す
【図２】
2014113085.tif 000003
【図４】
2014113085.tif 000004
【図１】
2014113085.tif 000005
【図３】
2014113085.tif 000006